(57)【要約】【課題】コールドドラフトを抑制し、室内の床面付近を暖かく維持することができるとともに、実用性にも優れた暖気供給装置を提供すること。【解決手段】空調暖房機５からの暖気を取り込む取込部２と、この取込部２から下方に延びる管状導入部３と、窓Ｗ下の床面付近に設けられ、前記管状導入部３と接続し、上向きに開口する噴出口４２が設けられた中空な吹出部４とを備え、前記取込部２から取り込まれた暖気は、前記管状導入部３を通じて前記吹出部４へと流れ、前記噴出口４２から上方へ向かって窓Ｗの内側付近の空間Ｓに噴出される暖気供給装置１とする。【選択図】図１
2014013095.tif 000002
【特許請求の範囲】
【請求項１】
室内の窓付近に設置された空調暖房機からの暖気を窓内側付近の空間に分配供給する暖気供給装置であって、
前記空調暖房機からの暖気を取り込む取込部と、
この取込部から下方に延びる管状導入部と、
窓下の床面付近に設けられ、前記管状導入部と接続し、上向きに開口する噴出口が設けられた中空な吹出部とを備え、
前記取込部から取り込まれた暖気は、前記管状導入部を通じて前記吹出部へと流れ、前記噴出口から上方へ向かって窓の内側付近の空間に噴出されることを特徴とする暖気供給装置。
【請求項２】
前記管状導入部は、断熱材料で形成されていることを特徴とする請求項１に記載の暖気供給装置。
【請求項３】
前記管状導入部の内部に、送風機が設けられていることを特徴とする請求項１または２に記載の暖気供給装置。
【請求項４】
前記吹出部の内部に、送風機が設けられていることを特徴とする請求項１から３のいずれか一項に記載の暖気供給装置。
【発明の詳細な説明】
【技術分野】
【０００１】
本発明は、空調暖房機の暖気を窓下に分配供給する暖気供給装置に関する。
【背景技術】
【０００２】
外気温が低い冬などには、例えば、窓が外気によって冷やされて室内の空気との熱交換が行われたり、窓の隙間から冷たい冷気が侵入したりすることで、室内の窓付近に冷気が生じやすい。そして、窓付近で生じた冷気は、窓に沿って下方へ降下し（いわゆるコールドドラフト）、床面付近に滞留するため、居住者は足元の冷えを感じてしまう場合がある。
【０００３】
特許文献１には、コールドドラフトによる不快感を低減するための空気調和機が記載されている。具体的には、特許文献１には、送風部からの暖気を、室内の窓に沿って鉛直方向に延設されたパネル状の輻射部を通じて窓側に位置した面（第２表面）から吹き出すことが記載されている。また、輻射部の第２表面の下端に吹き出し口を設け、この吹き出し口から窓側へ暖気を供給することなども記載されている。
【先行技術文献】
【特許文献】
【０００４】
【特許文献１】特開2004−354025号公報
【発明の概要】
【発明が解決しようとする課題】
【０００５】
しかしながら、特許文献１の空気調和機の場合、輻射部から吹き出す暖気は周囲へ拡散するに留まるため、窓付近への暖気の供給は充分ではなく、コールドドラフトを確実に抑制することは難しい。
【０００６】
また、特許文献１の空気調和機の場合、窓に沿って鉛直方向に延設されたパネル状の輻射部を設置しているため、窓付近の見栄えが悪く、また、窓の内側にカーテンを設置することも難しく、実用性に欠ける。
【０００７】
本発明は、以上のとおりの事情に鑑みてなされたものであり、コールドドラフトを抑制し、室内の床面付近を暖かく維持することができるとともに、実用性にも優れた暖気供給装置を提供することを課題としている。
【課題を解決するための手段】
【０００８】
上記の課題を解決するために、本発明の暖気供給装置は、室内の窓付近に設置された空調暖房機からの暖気を窓内側付近の空間に分配供給する暖気供給装置であって、前記空調暖房機からの暖気を取り込む取込部と、この取込部から下方に延びる管状導入部と、窓下の床面付近に設けられ、前記管状導入部と接続し、上向きに開口する噴出口が設けられた中空な吹出部とを備え、前記取込部から取り込まれた暖気は、前記管状導入部を通じて前記吹出部へと流れ、前記噴出口から上方へ向かって窓の内側付近の空間に噴出されることを特徴としている。
【０００９】
この暖気供給装置では、前記管状導入部は、断熱材料で形成されていることが好ましい。
【００１０】
この暖気供給装置では、前記管状導入部の内部に、送風機が設けられていることがより好ましい。
【００１１】
この暖気供給装置では、前記吹出部の内部に、送風機が設けられていることがさらに好ましい。
【発明の効果】
【００１２】
本発明の暖気供給装置によれば、コールドドラフトが抑制され、室内の床面付近を暖かく維持されるとともに、実用性にも優れている。
【図面の簡単な説明】
【００１３】
【図１】本発明の暖気供給装置の第１実施形態を例示した縦断面概要図である。
【図２】図１の暖気供給装置の取込部付近を例示した下方からの斜視概要図である。
【図３】図１の暖気供給装置の取込部付近を例示した縦断面概要図である。
【図４】図１の暖気供給装置の吹出部付近を例示した斜視概要図である。
【図５】本発明の暖気供給装置の第２実施形態を例示した縦断面概要図である。
【図６】本発明の暖気供給装置の第３実施形態を例示した縦断面概要図である。
【図７】図６の暖気供給装置の吹出部付近を例示した斜視概要図である。
【発明を実施するための形態】
【００１４】
図１は、本発明の暖気供給装置の第１実施形態を例示した縦断面概要図である。
【００１５】
暖気供給装置１は、取込部２と、管状導入部３と、吹出部４とを備えており、室内の窓Ｗ上方の内壁面に設置された空調暖房機５からの暖気を取り込んで、窓Ｗの内側付近の空間Ｓに分配供給する。
【００１６】
暖気供給装置１が設置される窓Ｗの形態は具体的に限定されないが、例えば、窓Ｗの下枠の位置が室内の床面の高さと略等しい形態のもの（いわゆる掃出し窓）の場合には窓Ｗ付近で冷気が生じやすいため、暖気供給装置１がより効果的に機能する。また、窓Ｗの上枠付近には、窓Ｗに沿ってカーテンレールＬが設置され、カーテンレールＬには、窓Ｗを覆うカーテンＣが設置されている。
【００１７】
空調暖房機５は、室内に暖気を供給可能なものであればよく、具体的に限定されない。例えば、空調暖房機５は、一般家庭に設置されている冷暖房機能を有したエアコンなどであってよく、例えば、ケーシング、ファンモータ、温度センサー、室外機、運転制御手段などを含むことができる。
【００１８】
図２は、図１の暖気供給装置の取込部付近を例示した下方からの斜視概要図である。図３は、図１の暖気供給装置の取込部付近を例示した縦断面概要図である。
【００１９】
図１〜図３に例示したように、取込部２は、空調暖房機５の前方下端部に設けられた送気口５aの側端部付近に取り付けられており、空調暖房機５の送気口５aから放出される暖気の一部を取り込む（矢印Ａ１）。取込部２は、例えば、プラスチックなどで形成することができる。
【００２０】
具体的には、取込部２は、上部が開放された箱状に形成されており、下面２１には管状導入部３が接続している。また、取込部２は、下面２１から室内側の前面２２へ向かって湾曲した湾曲部２３を有しており、空調暖房機５の送気口からの暖気を湾曲部２３に沿って下方へ案内して管状導入部３へと確実に導くことができる（矢印Ａ１）。
【００２１】
さらに、取込部２は、室内の内壁面側に位置する背面側に略水平な板状の固定面部２４を有している。固定面部２４には上側に吸盤Ｑが設けられており、この吸盤Ｑを介して、空調暖房機５の下端面に対して着脱自在に吸着固定されている。吸盤Ｑは、例えば、ゴムなどの弾性材料で形成されたものであってよく、空調暖房機５の下端面に吸盤Ｑを押しつけるなどすることで、吸盤Ｑを介して空調暖房機５の下端面に固定面部２４を吸着固定することができる。これによって、空調暖房機５付近の所望の位置に取込部２を安定かつ容易に取り付けることができる。
【００２２】
また、固定面部２４以外にも、取込部２の適宜な位置に吸盤Ｑを設けることもできる。例えば、図３に例示したように、取込部２の内側などに吸盤Ｑを設けて空調暖房機５と取込部２とを吸着固定することもできる。これによって、取込部２の安定性がさらに向上する。
【００２３】
管状導入部３は、取込部２の下面から下方に向かって略垂直に延びており、床面付近に設けられている吹出部４に達しており、取込部２で取り込んだ暖気を吹出部４へ導くことができる（矢印Ａ２）。管状導入部３の径は、空調暖房機５からの暖気の量などを考慮して適宜設計することができる。
【００２４】
管状導入部３の設置には、窓Ｗ付近に大きなスペースが必要とされないため、窓Ｗ付近の外観が損なわれることはない。
【００２５】
さらに、管状導入部３は、断熱材料で形成されていることが好ましく、これによって、管状導入部３内を流れる暖気の熱が失われにくく、暖かい状態が保たれた暖気を吹出部４へ供給することができる。管状導入部３を構成する断熱材料としては、例えば、発泡ポリスチレン、硬質発泡ポリエチレン、硬質発泡ポリウレタンなどの合成樹脂発泡体を例示することができる。管状導入部３は、これらの合成樹脂発泡体によって管状に形成することができるし、あるいは、例えば、プラスチック製の管状芯材の周りを合成樹脂発泡体によって被覆して形成することもできる。
【００２６】
図４は、図１の暖気供給装置の吹出部付近を例示した斜視概要図である。
【００２７】
図１、図４に例示したように、吹出部４は、窓Ｗの下方の床面付近に設けられている。吹出部４は中空であり、上面が窓Ｗ側から室内側へと傾斜して形成されている。吹出部４の上面４１は、管状導入部３の下端部と接続しており、吹出部４の内部に管状導入部３からの暖気が導入可能とされている。
【００２８】
吹出部４における窓Ｗ側の領域には、吹出部４の内部空間と通じて上向きに開口する噴出口４２が設けられている。具体的には、噴出口４２は、窓Ｗの下枠に沿って開口する横長の矩形状であり、カーテンレールＬから垂下するカーテンＣよりも窓Ｗ側に位置しているため、窓Ｗの内側付近におけるカーテンＣの設置が妨げられることはない。
【００２９】
そして、管状導入部３から吹出部４に流入した暖気（矢印Ａ２）は、吹出部４の内部を通じて噴出口４２から上方へ向かって窓Ｗの内側で窓Ｗに近接した部分の空間Ｓ（窓ＷとカーテンＣとの間の空間）に噴出され、上昇する暖気が供給される（矢印Ａ３）。
【００３０】
また、吹出部４の高さ（上面４１の位置）は、カーテンＣの下端付近に位置していることが好ましい。これによって、窓Ｗ付近の空気がカーテンＣの外側（窓Ｗ側）に留まりやすく、噴出口４２からの暖気が確実に窓Ｗの内側付近の空間Ｓへ供給される。
【００３１】
このように、暖気供給装置１は、空調暖房機５から放出される暖気の一部を取込部２から取り込み、管状導入部３を通じて吹出部４へと送り、吹出部４の噴出口４２から暖気を窓Ｗの内側付近の空間Ｓへ供給することができる。噴出口４２からの暖気は、窓Ｗの下付近から上方に向かって噴出されるため、窓Ｗの内側付近の空間Ｓへ確実に暖気を供給することができ、窓Ｗ付近に冷気が生じにくく、コールドドラフトが確実に抑制される。このため、室内の床面付近が暖かく維持され、居住者に不快感を与えることがない。また、暖気によって窓Ｗ自体も暖められるため、窓Ｗ付近での結露の発生も抑制される。
【００３２】
さらに、暖気供給装置１は、窓Ｗ付近において大きなスペースを必要としないため、窓Ｗ付近の外観が損なわれることはなく、また、窓Ｗの内側におけるカーテンＣの設置も妨げられることがないため、実用性にも優れている。
【００３３】
図５は、本発明の暖気供給装置の第２実施形態を例示した縦断面概要図である。第１実施形態と共通する部分には同一の符号を付し、以下では説明を省略する。
【００３４】
管状導入部３は、取込部２の下方付近において部分的に径が大きく形成された拡大部３１を有しており、拡大部３１の内部には、上下方向を中心軸として回転するファンを備えた送風機Ｆが配設されている。管状導入部３の拡大部３１に送風機Ｆが配設されていることで、取込部２から取り込んだ暖気の風力が増長されるため、管状導入部３から吹出部４へと送られた暖気（矢印Ａ２）は、吹出部４の噴出口４２から上方に向かって勢いよく噴出される（矢印Ａ３）。このため、窓Ｗの内側付近の空間Ｓへより確実に暖気を供給することができ、窓Ｗ付近に冷気が生じにくく、コールドドラフトが確実に抑制される。
【００３５】
図６は、本発明の暖気供給装置の第３実施形態を例示した縦断面概要図である。図７は、図６の暖気供給装置の吹出部付近を例示した斜視概要図である。第１実施形態と共通する部分には同一の符号を付し、以下では説明を省略する。
【００３６】
吹出部４は、窓Ｗ下付近において、中空な箱状に形成されている。吹出部４の上面４１は、略水平に形成されている。吹出部４の内部には、窓Ｗに沿う方向に伸びる軸部材の周囲に羽根車が形成された送風機Ｆ（クロスフローファン）が配設されている。吹出部４の内部に送風機Ｆが配設されていることで、管状導入部３から吹出部４へと流入した暖気（矢印Ａ２）の風力がここで増長されて、吹出部４の噴出口４２から上方に向かって勢いよく噴出される（矢印Ａ３）。このため、窓Ｗの内側付近の空間Ｓへより確実に暖気を供給することができ、窓Ｗ付近に冷気が生じにくく、コールドドラフトが確実に抑制される。
【００３７】
さらに、吹出部４の内部に配設した送風機Ｆに加えて、図示してはいないが、図５に例示したように、管状導入部の内部に送風機を併せて配設することもできる。この場合には、吹出部４の噴出口４２から上方に向かって、さらに勢いよく暖気が噴出される。
【００３８】
本発明の暖気供給装置は上記の形態に限定されることはない。例えば、噴出口の形状、配設数などは特に限定されず、窓Ｗの内側付近の空間への暖気の供給を阻害しない範囲で適宜設計することができる。具体的には、噴出口の形状としては、例えば、矩形、円形などの形状を例示することができる。また、噴出口は、窓の下枠に沿って複数設けることができ、例えば、パンチングメタルなどによって形成することもできる。さらに、噴出口は、ゴミや埃などが入り込むのを抑制するために、メッシュ体などで覆うこともできる。また、管状導入部は、必ずしも室内に露出していなくてもよく、美観を考慮して、例えば、室内の壁面の内側を通して配設することなどもできる。
【符号の説明】
【００３９】
１    暖気供給装置
２    取込部
３    管状導入部
４    吹出部
４２  噴出口
５    空調暖房機
Ｗ    窓
Ｆ    送風機
【図１】
2014013095.tif 000003
【図２】
2014013095.tif 000004
【図３】
2014013095.tif 000005
【図４】
2014013095.tif 000006
【図５】
2014013095.tif 000007
【図６】
2014013095.tif 000008
【図７】
2014013095.tif 000009